(57)【要約】【課題】雨水貯留装置に設置されるフィルタの目詰まりによる清掃・交換時期を遅らせ、ることができ、かつ、フィルタの目詰まり状態の確認が容易な雨水貯留装置を提供する。【解決手段】内部に集水室１８を有する集水筒５の外側下部に、内部に収納室５０ｄを有する濾過筒７を配置する。集水室１８の下部と収納室５０ｄの上部とを連通管６で連通する。前記収納室５０ｄの下部と貯留タンクをホース８で連通する。前記収納室５０ｄ内にはフィルタ６０〜６２を複数に分割して積重状態に収納する。濾過筒７の収納筒５０に透視窓９０を形成する。【選択図】  図４
0003211250.tif 000002
【実用新案登録請求の範囲】
【請求項１】
軸芯を上下方向に向けて配置される集水筒と、前記集水筒の外部に固着されてその軸芯を上下方向に向けて配置された濾過筒と、前記濾過筒から給水される貯留タンクとを有し、
前記集水筒は、上部に雨水取入口を設けて該雨水取入口から流入した雨水を所定水位まで集水する集水室を有し、
前記濾過筒は、上部が開閉可能な収納室を有する収納筒と、前記収納室内に、その上部から出し入れ可能なフィルタを有し、
前記濾過筒を、前記集水筒の外側下部に配設して、前記集水筒の集水室の下部と前記濾過筒における収納室の上部とを連通し、前記濾過筒の収納室の下部と前記貯留タンクとを連通し、
前記濾過筒の収納筒に、その外部から収納筒内に収納された前記フィルタを透視できる透視窓を設けたことを特徴とする雨水貯留装置。
【請求項２】
前記フィルタを複数個に分割して、積重状態で前記収納室内に収納したことを特徴とする請求項１記載の雨水貯留装置。
【請求項３】
前記複数のフィルタを、最上層のフィルタから最下層のフィルタに至るほどその目を細かくしたことを特徴とする請求項２記載の雨水貯留装置。
【請求項４】
前記複数のフィルタにおける上下に隣接するフィルタにおいて、下層のフィルタの中央部に取出し杆を、その下部を該下層のフィルタに係合させるとともに、上部を該下層のフィルタより上方へ突出させて設け、
上層のフィルタの中央部に、前記下層のフィルタの取出し杆の外周に遊嵌する取出し杆を、その下部を、該上層のフィルタに係合させるとともに、上部を該上層のフィルタより上方へ突出させて設け、
前記下層のフィルタの取出し杆の上端部を、前記上層のフィルタの取出し杆の上端より突出させたことを特徴とする請求項２又は３記載の雨水貯留装置。
【考案の詳細な説明】
【技術分野】
【０００１】
本考案は、雨水貯留装置に関する。
【背景技術】
【０００２】
従来、家屋の屋根から流れた雨水は、一般に雨樋に収集されて下水管等へ排水される。
【０００３】
近年、集中豪雨による浸水被害の防止、災害時用の飲料水の確保、家庭菜園用の水等として、雨水を収集して貯留タンクに貯水し、これを利用することが行われている。
【０００４】
このような雨水の貯留装置として従来、図１２に示すものを、出願人は提案した。
【０００５】
この図１２に示す従来技術の雨水貯留装置は、家屋の屋根に降った雨水を集水して立て樋１０１より落下させ、この雨水を集水筒１０２の外筒１０３内の誘導部材１０４により外筒１０３と内筒１０５間の集水室１０６に誘導し、更に、前記集水室１０６内の雨水を雨水取出口１０７からホース１０８により図示しない貯留タンクへ送り貯留するようになっている。
【０００６】
また、集水室１０６内の水位と貯留タンク内の水位が所定の水位（満水位）Ｗ１になると、立て樋１０１からの雨水は、内筒１０５の上端開口部である雨水流入口１０９から内筒１０５内に流入し、該内筒１０５の下端開口部から下水管１１０へ排水される。
【０００７】
また、前記外筒１０３の上端部内には、第１フィルタ１１１が設けられ、外筒１０３と内筒１０５間の上部の位置に第２フィルタ１１２が設けられ、流入した雨水に混入しているごみ等を捕獲するようになっている（特許文献１参照）。
【先行技術文献】
【特許文献】
【０００８】
【特許文献１】特開２０１０−２４２３７２号公報
【考案の開示】
【考案が解決しようとする課題】
【０００９】
前記従来の雨水貯留装置においては、フィルタ１１２が、集水室１０６内の上部、すなわち、満水位Ｗ１近傍に配設されているため、この満水位より低い水位において雨水が外筒１０３の上方から流入した場合、第２フィルタ１１２より上部での雨水の貯留高さが少ないことから、第２フィルタ１１２への目詰まりが少ない状態でも雨水の透過量が少なくなり、フィルタ１１２の清掃、交換を早くする必要がある。
【００１０】
また、前記集水筒１０２の軸方向長Ｈは、集水室１０６での貯水量を多くするため、比較的長く、例えば、約１３００ｍｍに設定されることから、前記第２フィルタ１１２の地表からの位置が高くなり、該フィルタ１１２の設置、取外し作業が困難な問題がある。
【００１１】
また、フィルタ１１２は、不透明の外筒１０３に内蔵されているため、フィルタ１１２の目詰まり状態が外視できず、フィルタ１１２の目詰まり状態を確認するためには、フィルタ１１２を外筒１０３から取外す必要があり、その確認が面倒である。
【００１２】
そこで、本考案は、前記の課題を解決する雨水貯留装置を提供することを目的とするものである。
【課題を解決するための手段】
【００１３】
前記の課題を解決するために、請求項１記載の考案は、軸芯を上下方向に向けて配置される集水筒と、前記集水筒の外部に固着されてその軸芯を上下方向に向けて配置された濾過筒と、前記濾過筒から給水される貯留タンクとを有し、
前記集水筒は、上部に雨水取入口を設けて該雨水取入口から流入した雨水を所定水位まで集水する集水室を有し、
前記濾過筒は、上部が開閉可能な収納室を有する収納筒と、前記収納室内に、その上部から出し入れ可能なフィルタを有し、
前記濾過筒を、前記集水筒の外側下部に配設して、前記集水筒の集水室の下部と前記濾過筒における収納室の上部とを連通し、前記濾過筒の収納室の下部と前記貯留タンクとを連通し、
前記濾過筒の収納筒に、その外部から収納筒内に収納された前記フィルタを透視できる透視窓を設けたことを特徴とするものである。
【００１４】
請求項２記載の考案は、請求項１記載の考案において、前記フィルタを複数個に分割して、積重状態で前記収納室内に収納したことを特徴とするものである。
【００１５】
請求項３記載の考案は、請求項２記載の考案において、前記複数のフィルタを、最上層のフィルタから最下層のフィルタに至るほどその目を細かくしたことを特徴とするものである。
【００１６】
請求項４記載の考案は、請求項２又は３記載の考案において、前記複数のフィルタにおける上下に隣接するフィルタにおいて、下層のフィルタの中央部に取出し杆を、その下部を該下層のフィルタに係合させるとともに、上部を該下層のフィルタより上方へ突出させて設け、
上層のフィルタの中央部に、前記下層のフィルタの取出し杆の外周に遊嵌する取出し杆を、その下部を、該上層のフィルタに係合させるとともに、上部を該上層のフィルタより上方へ突出させて設け、
前記下層のフィルタの取出し杆の上端部を、前記上層のフィルタの取出し杆の上端より突出させたことを特徴とするものである。
【考案の効果】
【００１７】
本考案によれば、内部にフィルタを収納した濾過筒を、集水室の外側下部に設け、該集水筒内の集水室の下部と前記濾過筒の上部とを連通したことにより、前記フィルタより上方での集水室内の水位と水量を大きくすることができる。
【００１８】
そのため、この集水室内の雨水による大きな水圧により、雨水を濾過筒内のフィルタを通過させることができる。したがって、目詰まりによるフィルタの清掃、交換時期を遅らせることができる。
【００１９】
更に、濾過筒、すなわちフィルタの設置位置を、前記従来のものに比べて地表に近い位置に設定できるため、濾過筒内のフィルタの清掃、交換時におけるフィルタの取外し、取付け作業が容易になる。
【００２０】
更に、収納筒に透視窓を設けたことにより、フィルタの目詰まり状態の確認が、フィルタを取外すことなく容易に行える。
【図面の簡単な説明】
【００２１】
【図１】本考案の実施例の雨水貯留装置を示す側面図。
【図２】図１における集水筒と、濾過筒を示す略縦断面図。
【図３】図２における集水筒の上半部を示す拡大縦断面図。
【図４】図２における集水筒の下半部を示す拡大縦断面図。
【図５】図４における濾過筒の正面図。
【図６】フィルタを支承する支承台の斜視図。
【図７】図３におけるＡ−Ａ線断面図。
【図８】図３におけるＢ−Ｂ線断面図。
【図９】図３におけるＣ−Ｃ線断面図。
【図１０】図３におけるＤ−Ｄ線断面図。
【図１１】図４におけるＥ−Ｅ線拡大断面図。
【図１２】従来の雨水貯留装置を示す側断面図。
【考案を実施するための形態】
【００２２】
本考案を実施するための形態を図１乃至図１１に基づいて説明する。
［実施例１］
図１乃至図１１は本考案の実施例１を示す。
【００２３】
図１において、建物１における屋根２の軒先には軒樋３が設けられ、該軒樋３に集められた雨水は、立て樋４内を落下するようになっている。なお、雨水の立て樋４への集め方は、一般の家屋の屋根上に降った雨水を図１に示すように立て樋４に集めてもよく、また、ビルなどのろく屋根において、その周囲の溝に集めた雨水を立て樋４に集めて落下させてもよい。
【００２４】
前記立て樋４の下部には集水筒５が配置されている。該集水筒５は、前記軒樋３から地表ＧＬ近傍までに配置されていた既設の立て樋４を地表ＧＬから集水筒５の上下方向（軸方向）の略全長分の長さを切り取って除き、この切り取った部分に前記の集水筒５を、その軸方向を上下方向にして配置する。そして、この集水筒５を、下水管４０の雨水排出管４０ａの上部において、地表ＧＬに設置するとともに適宜方法で建物１の壁部に固定する。
【００２５】
前記集水筒５の下部の外側には、濾過筒７が設けられており、前記集水筒５の下部と濾過筒７の上部とが連通管６で連通している。前記濾過筒７の下部は、給水管であるゴムホース、合成樹脂製ホース等の可撓性のホース８を通じて雨水貯留タンク９に連通されている。なお、該雨水貯留タンク９から更に別の雨水貯留タンク９ａを別のホース８により連通してもよい。
【００２６】
次に、前記集水筒５と濾過筒７について図２乃至図１１により詳述する。
【００２７】
図２は前記集水筒５と濾過筒７の略縦断面図で、この図２の上半部を図３により拡大図示し、図２の下半部を図４により拡大図示する。
【００２８】
集水筒５は大径の外筒１０と小径の内筒１１を有し、これらが同軸状で、その軸芯を垂直方向（上下方向）にして配置されている。
【００２９】
外筒１０を構成する主筒１２は上下端が開口する樹脂製の中空円筒で形成されている。この主筒１２の軸方向長は所望に設定する。該主筒１２の下端部には、上下端が開口する中空円筒状の第１の継ぎ手１３が、その上部１３ａを主筒１２の下部外周面に圧入或いは接着剤等により嵌合固定して設けられている。該第１の継ぎ手１３の下側には、上下端が開口する中空円筒状の台座１４が、その上部１４ｂを前記第１の継ぎ手１３の下部１３ｂに圧入或いは接着剤等により嵌合固定して設けられている。前記第１の継ぎ手１３と台座１４は樹脂で形成されている。
【００３０】
前記第１の継ぎ手１３の内周面には、内側へ突出する支承突起１５が全周にわたって形成されており、該支承突起１５の上面に樹脂製或いは木製の底板１６が載置されている。該底板１６は、その外周面が、前記第１の継ぎ手１３の内周面に水密的に嵌合する径に設定され、中央部に後述する第２の継ぎ手１９の外周面に水密的に嵌合する貫通穴１６ａが形成され、ドーナツ状の板で形成されている。該底板１６は、その貫通穴１６ａ以外は無
孔板で形成されている。
【００３１】
また、該底板１６は、すなわち、前記外筒１０の下端は、前記濾過筒７を設置できる範囲で可能な限り集水筒５の下部に位置するように設定され、底板１６は、前記支承突起１５と前記主筒１２の下端で挟持して固定されている。
【００３２】
前記底板１６の上部の近傍に位置して、前記第１の継ぎ手１３と主筒１２を貫通して前記連通管６が設けられており、底板１６より上部における主筒１２内の雨水を雨水取出口６ａより主筒１２の外部へ取り出すようになっている。すなわち、連通管６は後述する集水室１８の下部に連通している。
【００３３】
前記主筒１２の上端部には、外筒１０を構成する上下端が開口した樹脂製の中空円筒状の導入筒１７が、その下部１７ａを主筒１２に取外し可能に嵌合して設けられている。該導入筒１７の上部１７ｂは、下部１７ａより大径に形成され、該導入筒１７の内面における上下方向の略中間部に、支承段部１７ｃが形成されている。該導入筒１７の上側開口部が外筒１０の雨水取入口１０ａとなっている。
【００３４】
前記導入筒１７内、すなわち、外筒１０内における雨水取入口１０ａには、有孔板からなるストレーナー２５Ａが、その外周部を前記支承段部１７ｃに載置して備えられている。すなわち、ストレーナー２５Ａは、後述する誘導部材２０の上部に設けられている。また、該ストレーナー２５Ａは、樹脂製の比較的荒目の有孔板を使用し、立て樋４内から雨水とともに落下してきた木葉等の大きなゴミを捕獲し、細かいゴミと雨水は孔を通過するようになっている。
【００３５】
なお、実施例においては、前記主筒１２、第１の継ぎ手１３、台座１４、導入筒１７によって外筒１０を構成している。
【００３６】
前記集水筒５を構成する外筒１０の軸方向長、すなわち、集水筒５を設置した際のその高さＨ１は、前記雨水貯留タンク８の所定の満水位Ｗ１の位置よりも高くなる長さに設定されている。なお、この高さＨ１、すなわち、集水筒５の軸方向長Ｈ１は所望に設定するものであるが、実施例では約１１２０ｍｍに設定した。
【００３７】
次に、内筒１１について詳述する。
【００３８】
前記内筒１１は、上下端が開口した樹脂製の中空円筒で形成されている。該内筒１１は、前記主筒１２の内径Ｒ１より小径の外径Ｒ２を有し、その内筒１１の外周面と前記主筒１２の内周面との間の間隔Ｄは、前記連通管６及びホース８の内径よりも大きく設定されている。したがって、前記主筒１２と内筒１１との間で形成された集水室１８は、その横断面形状が環状（ドーナツ状）に形成され、かつ、該集水室１８の環状の流通断面積は、前記連通管６及びホース７の流通断面積よりも大きく設定されている。なお、前記主筒１２の内径Ｒ１と内筒１１の外径Ｒ２は所望に設定するものであるが、実施例においては、主筒１２の内径Ｒ１を約１３０ｍｍに設定し、内筒１１の外径Ｒ２を約４４ｍｍに設定した。
【００３９】
また、前記集水室１８は、その上部に、前記雨水取入口１０ａから落下する雨水を流入する開口部１８ａを有し、下部に底板１６を有して構成されている。
【００４０】
前記内筒１１の下端部には、上下が開口する中空円筒状の第２の継ぎ手１９が、その上部１９ａを、内筒１１の下部外周面に圧入或いは接着剤等により嵌合固定して設けられている。なお、前記第２の継ぎ手１９の内周面における上下方向の略中間部には、内側へ突
出する支承突起１９ｂが形成され、この支承突起１９ｂにより前記内筒１１の嵌合位置を定めている。
【００４１】
そして、前記第２の継ぎ手１９を、前記底板１６に、その中央部に形成した貫通穴１６ａに圧入或いは接着剤等により嵌合固定し、内筒１１の下部側を第１の継ぎ手１３、すなわち、外筒１０によって、主筒１２の中心部に位置するように保持している。
【００４２】
前記内筒１１の上側開口端１１ａ、すなわち、後述する雨水流入口２２の高さ位置Ｗ１は、該集水筒５を設置した際に、前記雨水貯留タンク８の所定の満水位Ｗ１と同一の高さに位置するように設定されている。また、内筒１１は、前記導入筒１７の下側に位置して主筒１２内に収まっている。
【００４３】
前記内筒１１の上部には、上方から落下してきた雨水を、直接内筒１１内へ入れることなく、内筒１１の外周部、すなわち、集水室１８へ誘導する傘状の誘導部材２０が、内筒１１の上側開口端１１ａより上方に離間して設けられている。該誘導部材２０は、内筒１１上に部分的に設けた支脚２１で支持され、前記集水室１８内の雨水が満杯以上になった場合に、その溢れた雨水が、内筒１１の上側開口端１１ａと誘導部材２０との間の雨水流入口２２より内筒１１内へ流入するようになっている。
【００４４】
前記主筒１２には、前記内筒１１の上側開口端１１ａより所定の距離下がった位置に、支持部材であるボルト２３が、主筒１２の外部から内部へねじ込まれており、その内端が内筒１１の外面に当接して内筒１１の周面を支持している。該ボルト２３は、主筒１２の周方向に、等間隔で４本設けられている。
【００４５】
前記第２の継ぎ手１９の下部には上方が開口した排水筒１１ｃが圧入又は接着剤等により嵌合固定されており、その上端は前記内筒１１と連通し、下端は台座１４の下端と略同一位置で開口している。該排水筒１１ｃは、内筒を構成し、かつ、内筒の雨水排出口を構成している。
【００４６】
外筒１０の下部には、集水室１８から直接雨水を取り出す蛇口３３が設けられている。
【００４７】
次に、前記濾過筒７について詳述する。
【００４８】
濾過筒７は、上端が開口し、下端部が底板５０ａで閉塞された有底状の収納筒５０を有し、該収納筒５０の上端部は拡径されてシール用段部５０ｂが形成されていると共に、上端部内面には雌ねじ５０ｃが刻設されている。前記収納筒５０は合成樹脂等により円筒状に形成されている。前記収納筒５０は、その軸芯を上下方向として前記集水筒５の外筒１０の外側に沿って配置され、締付バンド７０により外筒１０に固着されている。実施例では、該濾過筒７の上下方向の長さＨ２を約６００ｍｍとし、底板５０の地面ＧＬからの高さＨ３を約１００ｍｍとした。
【００４９】
前記収納筒５０における前記段部５０ｂにはシール板５１が配置され、その上側に蓋５２が、これに形成した雄ねじ５２ａを前記雌ねじ５０ｃに螺合して配置され、蓋５２を締め方向に回転することにより、シール板５１を下方へ押し下げて、シール板５１のシール用Ｏリング５１ａを前記段部５０ｂに圧接して、収納筒５０の上側を水密的に密閉するようになっている。また、蓋５２を逆回転して取外すことにより、シール板５１を取外して収納筒５０の上側を開口できるようになっている。
【００５０】
前記収納筒５０内には収納室５０ｄが形成され、その側面の上部には、前記連通管６の他端が嵌入され、この連通管６により、収納室５０ｄの上部と前記集水室１８の下部とが
連通している。
【００５１】
前記収納室５０ｄの側面の下部には給水口５０ｅが設けられ、該給水口５０ｅに前記ホース８が連結されている。
【００５２】
前記収納室５０ｄ内には、フィルタが、上方から出し入れ可能に収納されている。図の実施例では、分割された複数のブロックからなるフィルタが、収納筒５０の上方から出し入れ可能に収納配置されており、より詳しくは、図の実施例では円柱状の３個のブロックからなる第１〜第３フィルタ６０，６１，６２が積重状態で収納されている。また、最下層の第１フィルタ６０は、その下面が、前記給水口５０ｅの上部に位置するように設置され、該第１フィルタ６０と底板５０ｅとの間に下部の水室５０ｇを構成して、雨水の吸水口５０ｅへの流出をし易くしている。この水室５０ｇは、第１フィルタ６０の下面と底板５０ｅ間に、図５に示すように、支承台８０を介在して形成されている。
【００５３】
最下層の第１フィルタ６０には、その中央部（軸心部）に第１の取出し杆６０ａが、その下端に第１フィルタ６０と係合する係合鍔６０ｂを設けて備えられているとともに、第１フィルタ６０より上方を突出させて設けられている。
【００５４】
中間層の第２フィルタ６１には、前記第１の取出し杆６０ａの外周に遊嵌する第２の取出し杆６１ａが、その下端に第２フィルタ６１と係合する係合鍔６１ｂを設けて備えられているとともに、上方を第２フィルタ６１より突出させて設けられている。
【００５５】
最上層の第３フィルタ６２には、前記第２の取出し杆６１ａの外周に遊嵌する第３の取出し杆６２ａが、その下端に第３フィルタ６２と係合する係合鍔６２ｂを設けて備えられているとともに、上方を第３フィルタ６２より突出させて設けられている。
【００５６】
前記第１〜第３の３個のフィルタ６０〜６２を積重した高さは、最上層のフィルタ６２の上面と前記シール板５１の下面間に所定の高さの水室５０fが形成されるように設定され、該水室５０ｆに前記連通管６が開口連通している。
【００５７】
また、前記各取出し杆６０ａ〜６２ａの上端部は、前記水室５０Ｆ内に位置するように設定され、かつ、第１の取出し杆６０ａの上端より第２の取出し杆６１ａの上端が短く、第２の取出し杆６１ａの上端より第３の取出し杆６２ａの上端が短く設定され、各取出し杆６０ａ〜６２ａを、夫々の上端部を手操作で引き上げることにより夫々のフィルタを個々に取出すことができるようになっている。
【００５８】
前記複数のフィルタ６０〜６２は、その最上層のフィルタ６２から下層のフィルタ６１，６０に至るにつれて目（通水部）が細かくなるように設定され、図の実施例では、最上層の第３フィルタ６２が荒目、第２フィルタ６１が中目、第１フィルタ６０が細目に設定されている。これらの各フィルタの目の大きさは所望に設定する。
【００５９】
前記濾過筒７における収納筒５０には、透視窓９０が形成されている。
【００６０】
該透視窓９０は、収納筒５０の周壁に、内外方向に貫通形成した開口穴９０ａと、該開口窓９０ａを水密的に閉塞する透明樹脂板等の透明板９０ｂとからなり、該透明板９０ｂは、その外周部において、取付部材９０ｃにより収納筒５０に固着されている。更に、透明版９０ｂと取付部材９０ｃは、図１１に示すように、その横断面形状が、前記収納筒５０の横断面の円弧と同一の円弧に形成されている。
【００６１】
前記開口穴９０ａは、図４，図５に示すように、上下方向、すなわち、前記フィルタ６０〜６２の積層方向に長い長穴で形成され、その下端は、前記第１フィルタ６０の下端部に位置し、上端は前記第３フィルタ６２の上端部に位置している。
【００６２】
これにより、３このフィルタ６０〜６２の目詰まり状態を収納筒５０の外部から透視できるようになっている。
【００６３】
前記雨水貯留タンク９，９ａは、周知の貯留タンクを用いることができる。該貯留タンク９，９ａの上側部には空気抜き穴９ｂが設けられ、該空気抜き穴９ｂより若干下方が所定の満水位（満水面）Ｗ１となるようになっている。
【００６４】
次に、使用方法について説明する。
【００６５】
先ず、既設の立て樋４に使用する場合には、その立て樋４の下部を、集水筒５の長さと略同長分切断して除き、図１に示すように、立て樋４と下水管４０の雨水排出管４０ａとの間に集水筒５を立設し、更に、その外筒１０に濾過筒７を付設するとともに、連通管６で連通し、その濾過筒７の給水口５０ｅと貯留タンク９，９ａをホース８で連結する。
【００６６】
集水筒５を前記のように設置した状態で、かつ、貯留タンク９，９ａに雨水が未だ入っていないか、又は少量入っている状態において、雨水が、屋根２から立て樋４内に流れ落ちると、その立て樋４内の雨水は、図２，図３における集水筒５の導入筒１７内へ落下する。このとき、前記立て樋４が図３に示すように導入筒１７の内径より比較的細いと、立て樋４からの雨水は導入筒１７の中心部に落下する。
【００６７】
導入筒１７内に落下した雨水は、ストーレーナ２５Ａで木葉などの比較的大きなゴミが捕獲され、その他のごみと雨水が誘導部材２０上に落下し、更に、誘導部材２０に案内されてその周囲から、外筒１０との間の集水室１８における上部の開口部１８ａへ落下する。これにより、落下する雨水は内筒１１内へは流入しない。
【００６８】
集水室１８の上部の開口部１８ａに落下した雨水とゴミは、連通管６を流通して、濾過筒７の上部の水室５０ｆに入り、各フィルタ６０〜６２を通って濾過され、濾過された雨水が、下部の水室５０ｇに入り、給水口５０ｅよりホース８により貯留タンク９，９ａへ給水される。
【００６９】
このホース８内の雨水の流れ量よりも立て樋４内への雨水の流入量が多いと、集水室１８内に雨水が次第に溜まり、その集水室１８の水位が、貯留タンク９，９ａの水位よりも高くなり、集水室１８内の雨水が満杯になる。
【００７０】
この状態においては、集水室１８の横断面積が、連通管６及びホース８の横断面積より大きく、集水室１８の頂部が連通管６より高く、かつ、貯留タンク９，９ａの所定の満水位Ｗ１の高さまで形成されていることにより、集水室１８内の多量の雨水に作用する重力により、ホース８内の雨水を貯留タンク９，９ａへ押し出す力が大きくなり、雨水を貯留タンク９，９ａ内へ早く、効率よく貯めることができる。
【００７１】
更に、貯留タンク９，９ａ内の雨水が満杯になり、その水面が所定の満水位Ｗ１に達した状態で、かつ、前記集水筒５内における集水室１８の雨水が、満杯の位置Ｗ１に達した状態で、更に、雨水が立て樋４から流入すると、集水室１８内の雨水が溢れて、雨水流入口２２を通って内筒１１内へ流入し、内筒１１を通じて下水管４０へ排出される。
【００７２】
したがって、貯留タンク９，９ａが満杯状態で、更に降雨があっても、雨水が貯留タンク９，９ａの空気抜き穴９ｂから溢れ出ることがない。
【００７３】
次に、前記濾過筒７部での作用について説明する。
【００７４】
前記のように、集水室１８から連通管６を通じて濾過筒７の水室５０ｆに流入したごみ混りの雨水は、最上層の荒目の第３フィルタ６２により大径のごみが捕獲され、中目の第２フィルタ６１により中径のごみが捕獲され、細目の第１フィルタ６０により小径のごみが捕獲されて、水室５０ｇ、給水口５０ｅを通ってホース８へ流出する。
【００７５】
また、集水室１８の下部と濾過筒７の上部とを、集水室１８の横断面積より小径の連通管６で連通したことにより、貯留タンク９，９ａ内の水位が、連通管６の近傍かこれより低い水位の場合における降雨時には、集水室１８内に雨水が水位Ｗ１まで溜り、この集水室１８内の雨水による大きな水圧により、雨水を、濾過筒７内のフィルタ６０〜６２を通過させることができる。したがって、目詰まりによるフィルタの清掃、交換時期を遅らせることができる。
【００７６】
次に、フィルタ６０〜６２の交換作業について説明する。
【００７７】
図４のフィルタ設置状態において、先ず蓋５２を外してシール板５１を取外し、収納筒５０の上部を開口する。
【００７８】
次に第１〜第３のフィルタ６０〜６２を順次取り出す場合には、先ず、第３の取外し杆６２ａを、その上端部を手指で摘み上げて第３のフィルタ６２を取外す。次に、第２の取外し杆６１ａを、その上端部を手指で摘み上げて第２のフィルタ６１を取外す。次に、第１の取外し杆６０ａを、その上端部を手指で摘み上げて第１のフィルタ６０を取外す。
【００７９】
そして、新規のフィルタを、上記と逆の操作により設置する。
【００８０】
また、通常、最上層のフィルタ６２は目詰まりが他のフィルタ６０，６１よりも早いため、この最上層のフィルタ６２のみを取替える場合には、第３の取外し杆６２ａによりその取り出し、設置が可能である。そのため、他のフィルタ６０，６１の取外し、設置の作業が不要で、交換作業が容易である。
【００８１】
また、第２と第３のフィルタ６１，６２を同時に取外す場合は、第２の取外し杆６１ａを摘み上げる。
【００８２】
更に、第１〜第３のフィルタ６０〜６２を同時に取外す場合は、第１の取外し杆６０ａを摘み上げる。
【００８３】
前記濾過筒７は、その軸方向長が集水筒５の軸方向長より短く、かつ、集水筒５の下部位置に配置されるため、濾過筒７の地表からの高さを従来のフィルタの設置位置よりも低くでき、フィルタ６０〜６２の清掃、交換時におけるフィルタの出し入れ作業が容易になる。
【００８４】
更に、上記のようなフィルタ６０〜６２の清掃、交換は、フィルタ６０〜６２の目詰まり状態を確認して行うが、本考案においては、その確認が、フィルタ６０〜６２を収納筒９０から取外すことなく、収納筒９０に収納した状態で、収納筒９０の外部から透視窓９０を通じて容易に行うことができる。
【００８５】
［その他の実施例］
前記実施例１においては、雨水を集水室１８へ誘導する誘導部材２０を設けたが、この誘導部材２０を設けなくてもよい。
【００８６】
すなわち、前記立て樋４が、前記外筒１０を構成する導入筒１７の上部内径に近い内径を有する場合には、一般に雨水が主に立て樋４の内周面を伝って落下することから、雨水が導入筒１７の内周面及び主筒１２の上部の内周面を伝って集水室１８内へ落下する。そのため、この場合には、前記の誘導部材２０を設けなくとも、上方から落下する雨水を集水室１８へ流入させて前記実施例１と同様の効果を発揮することができる。
【００８７】
なお、本実施例における他の構造は、前記実施例１と同様である。
【００８８】
また、前記のフィルタは、前記実施例では３個設けたが、その数は１個でも複数でもよくその数は任意である。
【符号の説明】
【００８９】
５  集水筒
６  連通管
７  濾過筒
９  貯留タンク  
１０ａ  雨水取入部 
１８  集水室
５０  収納筒
５０ｄ  収納室
５０ｅ  給水口
６０〜６２  フィルタ
６０ａ，６１ａ，６２ａ  取外し杆
９０  透視窓
【図１】
0003211250.tif 000003
【図２】
0003211250.tif 000004
【図３】
0003211250.tif 000005
【図４】
0003211250.tif 000006
【図５】
0003211250.tif 000007
【図６】
0003211250.tif 000008
【図７】
0003211250.tif 000009
【図８】
0003211250.tif 000010
【図９】
0003211250.tif 000011
【図１０】
0003211250.tif 000012
【図１１】
0003211250.tif 000013
【図１２】
0003211250.tif 000014